(57)【要約】      （修正有）【課題】バケツ等にジョウロ機能を備えると共にマグネット板の磁力により散水口を開閉できるようにしたジョウロ機能付きバケツを提供する。【解決手段】バケツ本体１の側面下部に散水する為の小さな穴２を十数個開けて、穴の上に重ねるようにマグネット板３をバケツに開けた同じ穴を合わせるように接着する。更にスライド用の溝８を５のスライド用マグネット板がずれないように設ける。散水用穴を開閉するためのスライド用マグネット板５を８の溝にはめ込む。４のハンドルを上下することにより散水口が開閉する為、マグネット板のスライドを容易にするためである。散水口が閉じた状態ではマグネットの磁力により密着し、水漏れはしない。また、散水は手にバケツを下げた状態で行うため、持手近くに開閉用のハンドルが付いており容易に操作が可能でハンドルの引き上具合により水量が調整できる。【選択図】図１
0003160296.tif 000002
【実用新案登録請求の範囲】
【請求項１】
畑やガーデニングの水やりの道具として、バケツ等に散水口を設けマグネット板を使用し、磁力の作用によりジョウロの散水口開閉装置。
【考案の詳細な説明】
【技術分野】
【０００１】プラスチックやブリキ、ステンレス製のバケツ等にジョウロ機能を備える為マグネット板の磁力により散水口を開閉できるジョウロ機能付きバケツ。
【背景技術】
【０００２】本考案は、現在使用されているバケツは主に水を溜めたり運んだり、また畑やガーデニングの水やりにも使用することがある。ジョウロについては主に花や野菜など散水を目的に作られた物であり、バケツとジョウロでの散水は同じ使用目的のものがあるが別の物として販売されている。
【考案の開示】
【考案が解決しようとする課題】
【０００３】現在使用されているジョウロは前述に記載のとおり主に花や野菜に散水するための物であり、畑作業やガーデニングをする場合に、近くに水道がない場合は手や物を洗う場合にジョウロでは洗いにくい欠点がある。バケツで水を汲んだり物や手を洗ったり、しかもジョウロ機能を備えた物で、作業後の手や物を洗った後の残水はガーデニングや畑等に水やりができるようにした。現在一般的に利用されているジョウロは水の誘導筒が付いた物で筒が長い物であり、持ち運びに不便である。筒が長い理由は水圧で散水し易い面もあるが、それでないと使用できないものでもない。筒が無くても散水は可能であり、バケツとジョウロを双方一体として利用出来ないか考案したのがジョウロバケツである。
【課題を解決しようとする手段】
【０００４】本考案は、従来から一般的に利用されているバケツにジョウロ機能を備えた物にするため、バケツの下部側面に散水する為の小さな穴を十数個開ける、穴の外部に重ねるようにマグネット板を張り付け、バケツに開けた穴と同じように穴を設ける。更にその上に、マグネット板を取り付けスライドできるようにした。これによりマグネットの磁力により穴が密着し水漏れが無くなる。マグネット板を引き上げると穴が開いて散水を始める。
またマグネット板を下げると散水穴が閉まり、水の出を止めるようにした。開閉の操作はマグネット板に取り付けた接続棒により、バケツの持手近くのハンドルで開閉操作が出来るようにした。
【考案の効果】
【０００５】本考案は前述したように、通常のバケツに散水機能を備えた物であることが大きな特徴である。水を溜めたり運んだり手や物を洗ったりジョウロ機能でガーデニングや畑の水やりに便利である。バケツの下部側面に散水穴が付いているため、多少の水圧が低くなるが散水する場合に支障はない。また畑の近くに水がなく自宅から車でポリタンクにて水を運び、ジョウロバケツに水を移す場合は注ぎ口が広く移しやすい。このマグネット板による散水開閉装置はポリタンクなどにも使用可能で幅広く利用できる。
【考案を実施するための最良の形態】
【０００６】ジョウロとして使用する場合の操作は、開閉ハンドルが閉まった状態にてバケツに水を注ぎ、バケツ本体上部の持ち手近くに取り付けた開閉ハンドルを引くとマグネット板がスライドして穴が開き散水始める。散水時の水量はハンドルの引き上げ具合により多くなったり少なくなったり調整が可能である。
【実施例】
【０００７】  以下、添付図面に従って一実施例を説明する。１のバケツ本体側面に散水する為の穴２に十数個穴を開ける。開けた穴の上に３のマグネット板を接着材等で重ね張り付け、バケツ本体に開けた穴と同じ場所に穴を開ける。４は５のスライド用散水開閉マグネット板を上下する為のハンドルで６の接続棒で連結されている。
【図面の簡単な説明】
【０００８】
【図１】本考案のバケツの散水マグネット板を開けた状態を示す全体図である。
【図２】バケツの散水マグネットを閉じた状態を示す全体図である。
【図３】散水口開閉装置の拡大図でマグネット板が開いた状態である。
【図４】散水口開閉装置の拡大図でマグネット板が閉じた状態である。
【図５】散水口開閉装置の拡大断面図である。
【符号の説明】１  バケツ本体
２  散水穴
３  固定マグネット板
４  開閉ハンドル
５  スライド開閉マグネット板
６  マグネット板接続棒
７  接続棒通し穴
８  マグネット板スライド用の溝
９  接続棒固定板
【図１】
0003160296.tif 000003
【図２】
0003160296.tif 000004
【図３】
0003160296.tif 000005
【図４】
0003160296.tif 000006
【図５】
0003160296.tif 000007
【手続補正書】
【提出日】平成22年1月28日(2010.1.28)
【手続補正１】
【補正対象書類名】実用新案登録請求の範囲
【補正対象項目名】全文
【補正方法】変更
【補正の内容】
【実用新案登録請求の範囲】
【請求項１】
バケツ下部側面に、ジョウロ用散水穴を設け、同じ大きさのマグネットシート２枚を利用し、固定したマグネットシート上に重ね合わせ、上下スライドする構造を有した散水口開閉装置。
【手続補正２】
【補正対象書類名】明細書
【補正対象項目名】全文
【補正方法】変更
【補正の内容】
【考案の詳細な説明】
【技術分野】
【０００１】プラスチックやブリキ、ステンレス製のバケツにジョウロ機能を備える為、マグネットシートの磁力により散水口を開閉できるジョウロ機能付きバケツ。
【背景技術】
【０００２】本考案は、現在使用されているバケツは主に水を溜めたり運んだり、また畑やガーデニングの水やりにも使用することがある。ジョウロについては主に花や野菜など散水を目的に作られた物であり、バケツとジョウロでの散水は同じ使用目的のものがあるが別の物として販売されている。
【考案の開示】
【考案が解決しようとする課題】
【０００３】現在使用されているジョウロは前述に記載のとおり主に花や野菜に散水するための物であり、畑作業やガーデニングをする場合に、近くに水道がない場合は手や物を洗う場合にジョウロでは洗いにくい欠点がある。バケツで水を汲んだり物や手を洗ったり、しかもジョウロ機能を備えた物で、作業後の手や物を洗った後の残水はガーデニングや畑等に水やりができるようにした。現在一般的に利用されているジョウロは水の誘導筒が付いた物で筒が長い物であり、持ち運びに不便である。筒が長い理由は水圧で散水し易い面もあるが、それでないと使用できないものでもない。筒が無くても散水は可能であり、バケツとジョウロを双方一体として利用出来ないか考案したのがジョウロバケツである。
【課題を解決しようとする手段】
【０００４】本考案は、従来から一般的に利用されているバケツにジョウロ機能を備えた物にするため、バケツの下部側面に散水する為の小さな穴を十数個開ける、穴の外部に重ねるようにマグネットシートを張り付け、バケツに開けた穴と同じように穴を設ける。更にその上に、マグネットシートを重ね合わせスライドできるようにした。これによりマグネットの磁力により穴が密着し水漏れが無くなる。マグネットシートを引き上げると穴が開いて散水を始める。またマグネットシートを下げると散水穴が閉まり、水の出を止めるようにした。開閉の操作はマグネットシートに取り付けた接続棒により、バケツの持手近くのハンドルで開閉操作が出来るようにした。
【考案の効果】
【０００５】本考案は前述したように、通常のバケツに散水機能を備えた物であることが大きな特徴である。水を溜めたり運んだり手や物を洗ったりジョウロ機能でガーデニングや畑の水やりに便利である。バケツの下部側面に散水穴が付いているため、多少の水圧が低くなるが散水する場合に支障はない。また畑の近くに水がなく自宅から車でポリタンクにて水を運び、ジョウロバケツに水を移す場合は注ぎ口が広く移しやすい。このマグネットシートによる散水開閉装置はポリタンクなどにも使用可能で幅広く利用できる。
【考案を実施するための最良の形態】
【０００６】ジョウロとして使用する場合の操作は、開閉ハンドルが閉まった状態にてバケツに水を注ぎ、バケツ本体上部の持ち手近くに取り付けた開閉ハンドルを引くとマグネットシートがスライドして穴が開き散水始める。散水時の水量はハンドルの引き上げ具合により多くなったり少なくなったり調整が可能である。
【実施例】
【０００７】  以下、添付図面に従って一実施例を説明する。１のバケツ本体側面に散水する為の穴２に十数個穴を開ける。開けた穴の上に３のマグネットシートを接着材等で重ね張り付け、バケツ本体に開けた穴と同じ場所に穴を開ける。４は５のスライド用散水開閉マグネットシートを上下する為のハンドルで６の接続棒で連結されている。
【図面の簡単な説明】
【０００８】
【図１】本考案のバケツの散水口を開けた状態を示す全体図である。
【図２】バケツの散水口を閉じた状態を示す全体図である。
【図３】散水口開閉装置の拡大図でマグネットシートが上がり開いた状態である。
【図４】散水口開閉装置の拡大図でマグネットシートが下がり閉じた状態である。
【図５】散水口開閉装置の拡大断面図である。
【符号の説明】１  バケツ本体
２  散水穴
３  固定マグネットシート
４  開閉ハンドル
５  スライド開閉マグネットシート
６  マグネットシート接続棒
７  接続棒通し穴
８  マグネットシートスライド用の溝
９  接続棒固定板
【手続補正書】
【提出日】平成22年3月26日(2010.3.26)
【手続補正１】
【補正対象書類名】実用新案登録請求の範囲
【補正対象項目名】全文
【補正方法】変更
【補正の内容】
【実用新案登録請求の範囲】
【請求項１】
バケツ下部側面に、ジョウロ用散水穴を設け、当該散水穴部分に同じ穴を設けたマグネットシートを固定し、当該マグネットシートと同じ大きさのマグネットシートを重ね合わせ、重ね合わせたマグネットシートを上下にスライド可能に構成した散水口開閉装置を有するバケツ。